(57)【特許請求の範囲】
【請求項１】
集合住宅の共用玄関に設置され音声の入出力が可能な共用部装置と、集合住宅の管理室に設置され音声の入出力が可能な通話装置と、集合住宅の各住戸にそれぞれ設置され共用部装置並びに通話装置とは伝送線路を介して接続されると共に共用部装置若しくは通話装置が有する選択手段が操作されることにより選択されると共用部装置又は通話装置との間で通信路を確立する複数台の住戸機とを備え、
伝送線路は、共用部装置並びに通話装置に接続された幹線と各住戸機に接続された住戸別線とを含み、幹線及び住戸別線は、少なくとも選択手段の操作に伴って発生し個別通話の開始を指示する制御信号を伝送する制御線と、音声信号を伝送する信号線とから成り、
通話装置は、住戸機との間で信号線を介した通話を行う通話手段と、通話相手の住戸機を選択するための選択手段と、複数の住戸機を対象とした一斉放送の開始を指示する一斉放送開始指示手段と、選択手段で選択された住戸機に対して個別通話の開始を指示する制御信号を制御線を介して伝送すると共に一斉放送開始指示手段で一斉放送の開始が指示された時に対象となる複数の住戸機に対して一斉放送の開始を指示する制御信号を制御線を介して伝送する制御手段とを備え、
住戸機は、共用部装置並びに通話装置との間で各々信号線を介した通話を行う住戸機通話手段と、制御線を介して伝送される制御信号に応じて共用部装置又は通話装置と住戸機との間に通信路を確立させる住戸機制御手段と、住戸別線と住戸機通話手段との間に設けられて共用部装置又は通話装置における入力及び出力のインピーダンスと整合したインピーダンスを有する第一の音声伝送回路を含む個別通話用経路と、住戸別線と住戸機通話手段との間に設けられて共用部装置又は通話装置における入力及び出力のインピーダンスよりも高いインピーダンスを有する第二の音声伝送回路を含む一斉放送用経路と、個別通話用経路を住戸別線に接続する状態と一斉放送用経路を住戸別線に接続する状態とを択一的に切り替える第一の切替スイッチから成る切替手段と、個別通話及び一斉放送の通信路を開閉する第二の切替スイッチから成る開閉手段とを備え、第一の切替スイッチ及び第二の切替スイッチは直列に接続され、住戸機制御手段は、個別通話の開始を指示する制御信号を受信すると切替手段を制御して個別通話用経路と住戸別線とを接続する状態にし、個別通話の開始を指示する制御信号を受信しない場合は個別通話用経路と住戸別線とを接続しない状態にし、且つ、個別通話又は一斉放送の開始を指示する制御信号を受信すると開閉手段を制御して個別通話又は一斉放送の通信路を確立し、個別通話又は一斉放送の開始を指示する制御信号を受信しない場合は開閉手段を制御して個別通話及び一斉放送何れの通信路も開放することを特徴とする集合住宅用インターホンシステム。
【発明の詳細な説明】
【技術分野】
【０００１】
本発明は、集合住宅の共用玄関に設置された共用部装置並びに管理室に設置された通話装置と各住戸にそれぞれ設置される住戸機の何れか１台との間で択一的に通信路を確立して通話可能とする集合住宅用インターホンシステムに関し、特に共用部装置並びに通話装置と１台の住戸機とが一対一で通話する個別通話の他に、通話装置により複数の住戸機へ一斉放送を行うことが出来る集合住宅用インターホンシステムに関する。
【背景技術】
【０００２】
従来より、集合住宅の共用玄関に設置された共用部装置並びに管理室に設置された通話装置と各住戸にそれぞれ設置される住戸機の何れか１台との間で択一的に通信路を確立して通話可能とし、さらに共用部装置並びに通話装置と１台の住戸機とが一対一で通話する個別通話の他に、通話装置により複数の住戸機へ一斉放送を行うことができる集合住宅用インターホンシステムが提供されている（特許文献１参照）。
【０００３】
図４は従来例を示すシステム構成図である。集合住宅の管理室に設置される通話装置（管理室インターホン）１００は、マイクロホン１０１ａ及びスピーカ１０１ｂ、マイクロホン１０１ａの出力（送話信号）を増幅する送話アンプ１０１ｃ、スピーカ１０１ｂへの入力（受話信号）を増幅する受話アンプ１０１ｄ、２線の通話線Ｌａと２個のアンプ１０１ｃ、１０１ｄの入力線及び出力線とを２線４線変換する２線４線変換回路１０１ｅを具備する通話回路１０１を備えている。
【０００４】
一方、各住戸に設置される住戸機１１０は、マイクロホン１１１ａ及びスピーカ１１１ｂ、マイクロホン１１１ａの出力（送話信号）を増幅する送話アンプ１１１ｃ、スピーカ１１１ｂへの入力（受話信号）を増幅する受話アンプ１１１ｄ、２線の通話線Ｌａと２個のアンプ１１１ｃ、１１１ｄの入力線及び出力線とを２線４線変換する２線４線変換回路１１１ｅを具備する通話回路１１１と、通話回路１１１を通話線Ｌａに接続する状態と接続しない状態とを切り替える接続スイッチ１１２とを備え、制御線（図示せず）を介して伝送される制御信号によって通話装置１００から通話開始の指示を受け取ったときに接続スイッチ１１２を閉じて通話装置１００との間で通信路が確立されて個別通話が可能になる。また、通話装置１００が複数の住戸機１１０を対象とした一斉放送を行う場合、制御線を介して伝送される制御信号によって通話装置１００から一斉放送開始の指示を受け取った各住戸機１１０において、接続スイッチ１１２を閉じて通話装置１００との間で各々通信路が確立され、通話装置１００から通話線Ｌａを介して伝送される一斉放送の音声が対象となっている複数の住戸機１１０のスピーカ１１１ｂから送出されることになる。
【０００５】
さらに上記従来例では、個別通話用の通話線Ｌａを使って一斉放送を行うために通話装置１００と住戸機１１０との間の通話線Ｌａ上に主装置１２０が設けられている。この主装置１２０は、一斉放送時の音声信号を増幅する増幅器１２１と、複数の住戸機１１０が接続された通話線Ｌａの音声信号の周波数帯域におけるインピーダンスに整合させるためのマッチングトランス１２２と、マッチングトランス１２２並びに増幅器１２１の直列回路を住戸機１１０側の通話線Ｌａに接続する状態と接続しない状態とを切り替える第１の切替スイッチ１２３と、音声信号が増幅器１２１、マッチングトランス１２２、第１の切替スイッチ１２３を通る経路と通らない経路とを択一的に切り替える第２の切替スイッチ１２４とを備える。すなわち、主装置１２０において個別通話時に第１の切替スイッチ１２３を開くと共に第２の切替スイッチ１２４を閉じることで増幅器１２１、マッチングトランス１２２、第１の切替スイッチ１２３を通らない経路で音声信号を伝送し、一斉放送時に第１の切替スイッチ１２３を閉じると共に第２の切替スイッチ１２４を開くことで増
幅器１２１、マッチングトランス１２２、第１の切替スイッチ１２３を通る経路で音声信号を伝送し個別通話と一斉放送とで通話線Ｌａが共用できるものである。
【先行技術文献】
【特許文献】
【０００６】
【特許文献１】特公平８−２８７８０号公報
【発明の概要】
【発明が解決しようとする課題】
【０００７】
しかしながら上記従来例では、一斉放送の音声信号が主装置１２０においてマッチングトランス１２２を介することで通話線Ｌａのインピーダンスや住戸機１１０の受話インピーダンスと整合したインピーダンスで伝送されるため、一斉放送の対象となる住戸機１１０の台数が増加するにつれて音声信号の減衰が大きくなり、それを補うために主装置１２０の増幅器１２１の増幅度を大きくしなければならないという問題があった。
【０００８】
本発明は、上記問題点に鑑みて為されたもので、一斉放送時の音声信号の減衰を抑えることができる集合住宅用インターホンシステムを提供することにある。
【課題を解決するための手段】
【０００９】
請求項１の発明は、上記目的を達成するために、集合住宅の共用玄関に設置され音声の入出力が可能な共用部装置と、集合住宅の管理室に設置され音声の入出力が可能な通話装置と、集合住宅の各住戸にそれぞれ設置され共用部装置並びに通話装置とは伝送線路を介して接続されると共に共用部装置若しくは通話装置が有する選択手段が操作されることにより選択されると共用部装置又は通話装置との間で通信路を確立する複数台の住戸機とを備え、伝送線路は、共用部装置並びに通話装置に接続された幹線と各住戸機に接続された住戸別線とを含み、幹線及び住戸別線は、少なくとも選択手段の操作に伴って発生し個別通話の開始を指示する制御信号を伝送する制御線と、音声信号を伝送する信号線とから成り、通話装置は、住戸機との間で信号線を介した通話を行う通話手段と、通話相手の住戸機を選択するための選択手段と、複数の住戸機を対象とした一斉放送の開始を指示する一斉放送開始指示手段と、選択手段で選択された住戸機に対して個別通話の開始を指示する制御信号を制御線を介して伝送すると共に一斉放送開始指示手段で一斉放送の開始が指示された時に対象となる複数の住戸機に対して一斉放送の開始を指示する制御信号を制御線を介して伝送する制御手段とを備え、住戸機は、共用部装置並びに通話装置との間で各々信号線を介した通話を行う住戸機通話手段と、制御線を介して伝送される制御信号に応じて共用部装置又は通話装置と住戸機との間に通信路を確立させる住戸機制御手段と、住戸別線と住戸機通話手段との間に設けられて共用部装置又は通話装置における入力及び出力のインピーダンスと整合したインピーダンスを有する第一の音声伝送回路を含む個別通話用経路と、住戸別線と住戸機通話手段との間に設けられて共用部装置又は通話装置における入力及び出力のインピーダンスよりも高いインピーダンスを有する第二の音声伝送回路を含む一斉放送用経路と、個別通話用経路を住戸別線に接続する状態と一斉放送用経路を住戸別線に接続する状態とを択一的に切り替える第一の切替スイッチから成る切替手段と、個別通話及び一斉放送の通信路を開閉する第二の切替スイッチから成る開閉手段とを備え、第一の切替スイッチ及び第二の切替スイッチは直列に接続され、住戸機制御手段は、個別通話の開始を指示する制御信号を受信すると切替手段を制御して個別通話用経路と住戸別線とを接続する状態にし、個別通話の開始を指示する制御信号を受信しない場合は個別通話用経路と住戸別線とを接続しない状態にし、且つ、個別通話又は一斉放送の開始を指示する制御信号を受信すると開閉手段を制御して個別通話又は一斉放送の通信路を確立し、個別通話又は一斉放送の開始を指示する制御信号を受信しない場合は開閉手段を制御して個別通話及び一斉放送何れの通信路も開放することを特徴とする。
【発明の効果】
【００１０】
請求項１の発明によれば、個別通話時には切替手段により切り替えられた個別通話用経路を通して音声信号が伝送されるために誘導ノイズに対して耐性の高い通話が行え、一斉放送時には切替手段により切り替えられた一斉放送用経路を通して音声信号が伝送され、一斉放送用経路のインピーダンスは複数台の住戸機が接続されても共用部装置又は通話装置における入力及び出力インピーダンスより高いために、音声信号の減衰を抑制する事ができる。また、個別通話時には切替手段により切り替えられた個別通話用経路を通して音声信号が伝送され且つ開閉手段によって選択された住戸機とのみ接続を閉成して他の住戸機との接続は開成するので、誘導ノイズに対してより耐性の高い通話が行え、一斉放送時には切替手段により切り替えられた一斉放送用経路を通して音声信号が伝送され、一斉放送用経路のインピーダンスは複数台の住戸機が接続されても共用部装置又は通話装置における入力及び出力インピーダンスより高いために、音声信号の減衰を抑制する事ができる。さらに、開閉手段によって特定の複数台の住戸機に対してのみ一斉放送を行うことができる。
【図面の簡単な説明】
【００１１】
【図１】本発明の実施形態１を示すシステム構成図である。
【図２】本発明の実施形態２を示すシステム構成図である。
【図３】本発明の実施形態３を示すシステム構成図である。
【図４】従来例を示すシステム構成図である。
【発明を実施するための形態】
【００１２】
従来の技術として説明したように、伝送線路のうち制御線は共用部装置（ロビーインターホン）１並びに通話装置（管理室インターホン）３が相手先の住戸機２を選択するための制御信号を伝送するから、ロビーインターホン１及び管理室インターホン３、住戸機２において制御線に接続される回路は常時動作させておくことが必要である。つまり、ロビーインターホン１並びに管理室インターホン３が住戸機２を選択するためのアドレスを含む制御信号は、全ての住戸機２に伝送されるから、全ての住戸機２において制御信号を受信するための受信回路や制御信号を解釈して必要な処理を行うＣＰＵは常時動作する。これに対して、音声信号及び映像信号に対する処理は住戸機２の選択後に行えばよいので、音声信号と映像信号とは一括して扱うことができ、しかも音声信号と映像信号とは周波数帯域が異なるため（音声信号に対して映像信号は周波数が十分に高い）、周波数多重化の技術によって多重化することができる。
【００１３】
そこで、以下に説明する実施形態では、ロビーインターホン１から映像線Ｌｂを介して伝送されるＦＭ映像信号を管理室インターホン３から通話線Ｌａを介して伝送される音声信号に多重化する多重化手段を幹線装置４に設け、幹線装置４から先においては伝送線路に用いる線数を従来構成よりも低減した例について説明する。尚、制御信号はロビーインターホン１並びに管理室インターホン３から住戸機２の呼出に用いるだけではなく、管理室インターホン３による一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号及び映像信号と制御信号とを各別に伝送することが伝送品質の点から必要となる。
【００１４】
（実施形態１）
本実施形態のシステム構成図を図１に示す。本実施形態では、集合住宅の共用玄関に設置される共用部装置（ロビーインターホン）１と、管理室に設置される通話装置（管理室インターホン）３と、各住戸にそれぞれ配置される複数台の住戸機２とを備え、ロビーインターホン１並びに管理室インターホン３と住戸機２とが伝送線路を介して接続されている。伝送線路は、幹線装置４に接続される幹線Ｌ１と、幹線Ｌ１から分岐されて各住戸機
２にそれぞれ接続される住戸別線Ｌ２とを含む。この伝送線路としては、２対以上のペア線をシース内に備える多対ツイストペアケーブルを用いており、図示例ではロビーインターホン１と住戸機２との間で、ロビーインターホン１が具備するカメラ（図示せず）で撮像された映像信号と音声信号とを多重伝送する信号線Ｌｄと、ロビーインターホン１又は管理室インターホン３が有する選択手段（後述する）により選択された住戸機２を指定する制御信号を伝送する制御線（図示せず）とにそれぞれペア線を用いている。つまり、図示例の伝送線路では２対のペア線を用いている。ここで、信号線Ｌｄを介して伝送される映像信号はロビーインターホン１において周波数変調され、周波数変調された映像信号（以下、「ＦＭ映像信号」と呼ぶ）と音声信号とが幹線装置４において多重化される。そして、信号線Ｌｄを介して音声信号と多重化されて伝送されるＦＭ映像信号が、後述するように各住戸機２に設けた多重分離回路２０で分離された後にＦＭ復調部２５ａで周波数復調されてモニタ２２に表示される。
【００１５】
ロビーインターホン１は、音声を入出力するマイクロホン（図示せず）及びスピーカ（図示せず）と、来訪者を撮像するカメラと、カメラから出力する映像信号を周波数変調するＦＭ変調回路（図示せず）と、住戸番号を指定するための番号キーと呼出釦を有する選択手段（図示せず）とを備え、来訪者が番号キーを操作して訪問先の住戸番号を選択した後に呼出釦を操作すると住戸番号に対応する住戸機２を選択したことになる。ここで、ロビーインターホン１は通話線Ｌａ及び制御線を介して管理室インターホン３と接続されており、ロビーインターホン１で選択された住戸番号が制御線を介して管理室インターホン３に伝送されると、管理室インターホン３が当該住戸番号に対応する住戸機２に対して制御線を介して制御信号（呼出コマンド）を送出する。またロビーインターホン１から管理室インターホン３を経由する通話線Ｌａを介して伝送される音声信号と、ロビーインターホン１から映像線Ｌｂを介して伝送されるＦＭ映像信号とが幹線装置４において多重化され、信号線Ｌｂを介して各住戸機２に伝送される。つまり、幹線装置４から住戸機２側においては信号線Ｌｄが通話線Ｌａ並びに映像線Ｌｂを兼ねていることになる。
【００１６】
管理室インターホン３は、音声を入出力するマイクロホン３１ａ及びスピーカ３１ｂを備え、マイクロホン３１ａとスピーカ３１ｂとはそれぞれ増幅器３２ａ、３２ｂを介して音声回路３０に接続されている。音声回路３０は、２線の通話線Ｌａと2個の増幅器３２ａ、３２ｂの入力線及び出力線とを２線４線変換する回路を含み、マイクロホン３１ａから入力される音声信号を通話線Ｌａに送出し、通話線Ｌａからの音声信号をスピーカ３１ｂ側に出力する機能を備えている。また、管理室インターホン３には、内部回路を制御するＣＰＵ（図示せず）が設けられ、ＣＰＵには制御線とのインターフェイスとなる制御信号送受信回路（図示せず）が接続される。制御信号送受信回路は、ＣＰＵから出力された制御信号を制御線に送出し、制御線から受信した制御信号をＣＰＵに引き渡す機能を有する。なお、図示は省略するが、ロビーインターホン１に接続された通話線Ｌａを幹線装置４に接続された通話線Ｌａに接続する状態と接続しない状態を切り替える切替スイッチが管理室インターホン３に設けられており、ロビーインターホン１と何れかの住戸機２との間で個別通話が行われる時にだけ、上記切替スイッチがオンしてロビーインターホン１に接続された通話線Ｌａを幹線装置４に接続された通話線Ｌａに接続するようになっている。
【００１７】
幹線装置４は、映像線Ｌｂを介してロビーインターホン１から伝送されてくるＦＭ映像信号を増幅する映像増幅器４１と、映像増幅器４１で増幅された後のＦＭ映像信号と管理室インターホン３を経由し通話線Ｌａを介してロビーインターホン１から伝送されてくる音声信号又は管理室インターホン３から通話線Ｌａを介して伝送されてくる音声信号とを多重化する多重化回路４０とを具備している。多重化回路４０は、通話線Ｌａと信号線Ｌｄとの間に挿入される低周波通過部４０ａと、映像増幅器４１と信号線Ｌｄとの間に挿入される高周波通過部４０ｂとから成る。図示例では、低周波通過部４０ａとしてインダク
タを用い、高周波通過部４０ｂとしてコンデンサを用いている。但し、低周波通過部４０ａと信号線Ｌｄとの間には直流カット用のコンデンサが挿入されている。
【００１８】
住戸機２は、音声を入出力するマイクロホン２１ａ及びスピーカ２１ｂを備え、マイクロホン２１ａとスピーカ２１ｂとはそれぞれ増幅器２４ａ、２４ｂを介して音声回路２４ｃに接続されている。ここで、上述のように音声信号と映像信号との両方で信号線Ｌｄを用いるために、多重分離回路２０を設けている。多重分離回路２０は、音声回路２４ｃと信号線Ｌｄとの間に並列に挿入される２つの低周波通過部２０ａと、結合トランス２５ｃと信号線Ｌｄとの間に挿入される高周波通過部２０ｂとから成る。低周波通過部２０ａは音声信号に対して低インピーダンスであって映像信号に対して高インピーダンスのものを用い、高周波通過部２０ｂは音声信号に対して高インピーダンスであって映像信号に対して低インピーダンスのものを用いる。図示例では、低周波通過部２０ａとしてインダクタを用い、高周波通過部２０ｂとしてコンデンサを用いている。また、一方の低周波通過部２０ａと音声回路２４ｃとの間には、ロビーインターホン１又は管理室インターホン３の入力及び出力インピーダンスと整合するインピーダンス（例えば、６００Ω）を有する第一の音声伝送回路２６ａが挿入されており、他方の低周波通過部２０ａと音声回路２４ｃとの間には、ロビーインターホン１又は管理室インターホン３の入力及び出力インピーダンスよりも高いインピーダンス（例えば、１０ｋΩ）を有する第二の音声伝送回路２６ｂが挿入されている。すなわち、一方の低周波通過部２０ａと第一の音声伝送回路２６ａを含む経路が個別通話用経路に相当し、他方の低周波通過部２０ａと第二の音声伝送回路２６ｂを含む経路が一斉放送用経路に相当する。また、低周波通過部２０ａと高周波通過部２０ｂとに分岐する点アと一方の低周波通過部２０ａとの間には、個別通話用経路と信号線Ｌｄとを接続する状態と接続しない状態に切り替える第一の切替スイッチ２９ａが挿入されており、この第一の切替スイッチ２９ａが切替手段に相当し、後述する住戸機２のＣＰＵ２７からの制御に応じて切り替わる。尚、ＣＰＵ２７による制御が行われていない状態では第一の切替スイッチ２９ａは開放されており、信号線Ｌｄは一斉放送用経路及び高周波通過部２０ｂと接続されている。
【００１９】
音声回路２４ｃは、２線の信号線Ｌｄと２個の増幅器２４ａ、２４ｂの入力線及び出力線とを２線４線変換する回路を含み、マイクロホン２１ａから入力される音声信号を多重分離回路２０を介して信号線Ｌｄに送出し、多重分離回路２０で分離された信号線Ｌｄからの音声信号をスピーカ２１ｂ側に出力する機能を備えている。したがって、ロビーインターホン１並びに管理室インターホン３と住戸機２との間で信号線Ｌｄを通して音声信号を授受することができ、来訪者がロビーインターホン１を用いると共に居住者が住戸機２を用いることによって来訪者と居住者との間で音声通話が可能となり、また管理人が管理室インターホン３を用いると共に居住者が住戸機２を用いることによって管理人と居住者との間で音声通話が可能となる。
【００２０】
また、音声回路２４ｃには、子器インタフェース回路２３及び子器接続線Ｌ３を介してドアホン子器６が接続される。ドアホン子器６は集合住宅の各住戸の玄関先に配置されるものであってマイクロホン及びスピーカを備え、子器インタフェース回路２３はドアホン子器６との通話のための音声双方向増幅回路や音声回路２４ｃを接続するための開閉路回路等を備える。したがって、ドアホン子器６と住戸機２との間での通話が可能になっている。また、ドアホン子器６には呼出釦が設けられ、子器インタフェース回路２３ではドアホン子器６での呼出釦の操作時に呼出音を音声回路２４ｃに入力して、スピーカ２１ｂから送出させる機能も備える。ドアホン子器６の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここで、子器接続線Ｌ３には伝送線路とは別シースのケーブルを用いるのが一般的であるが、伝送線路の中の１対のペア線を流用することも可能である。
【００２１】
住戸機２において、モニタ２２には液晶表示器あるいはＣＲＴが用いられる。信号線Ｌｄを通して住戸機２に入力されるＦＭ映像信号は、多重分離回路２０で分離された後に平衡−不平衡変換のための結合トランス２５ｃを介して増幅器２５ｂに入力され、増幅器２５ｂで増幅された後にＦＭ復調部２５ａにおいて周波数復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができる。
【００２２】
また、住戸機２には内部回路を制御するＣＰＵ２７が設けられ、ＣＰＵ２７には制御線とのインタフェースとなる制御信号送受信回路（図示せず）が接続される。制御信号送受信回路は、ＣＰＵ２７から出力された制御信号を制御線に送出し、制御線から受信した制御信号をＣＰＵ２７に引き渡す機能を有する。
【００２３】
制御線については、幹線Ｌ１と住戸別線Ｌ２とが分岐器７内において直結されている。したがって、管理室インターホン３から送出された制御信号は制御線に接続される全ての住戸機２に伝送される。ここに、住戸機２のＣＰＵ２７には個別にアドレス（例えば、住戸番号）が設定されており、例えば、ロビーインターホン１においてアドレスを選択することによって、アドレスを指定する制御信号（呼出コマンド）が管理室インターホン３から制御線を介して全ての住戸機２に伝送することが可能となっている。住戸機２のＣＰＵ２７は、制御信号に含まれるアドレスが自己のアドレスであれば、第一の切替スイッチ２９ａを閉成してロビーインターホン１と個別通話用経路との間に通信路を確立すると共に、ＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を鳴動させるように構成されている。
【００２４】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線を介して制御信号（呼出コマンド）が伝送され、この制御信号に含まれるアドレスが一致した住戸機２では、そのＣＰＵ２７が呼出コマンドに応じて第一の切替スイッチ２９ａを閉成すると共に音声回路２４ｃを通じてスピーカ２１ｂから呼出音を送出させる。さらにロビーインターホン１に選択された住戸機２では、ＣＰＵ２７がＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そしてロビーインターホン１からの呼出に応答して居住者が住戸機２の応答釦（図示せず）を操作するとＣＰＵ２７が音声回路２４ｃを起動する。
【００２５】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。その結果、ロビーインターホン１と選択された住戸機２との間に通信路が確立されて個別通話が可能となると共に、選択された住戸機２でのみロビーインターホン１のカメラで撮像された来訪者をモニタ２２に表示することが可能となる。
【００２６】
次に、管理室インターホン３と、管理室インターホン３で選択された１台の住戸機２との間で個別通話する場合について説明する。管理室インターホン３で選択された住戸機２に対して管理室インターホン３から制御線を介して制御信号（呼出コマンド）が伝送され、この制御信号に含まれるアドレスが一致した住戸機２では、そのＣＰＵ２７が呼出コマンドに応じて第一の切替スイッチ２９ａを閉成すると共に音声回路２４ｃを通じてスピー
カ２１ｂから呼出音を送出させる。そして、管理室インターホン３からの呼出に応答して居住者が住戸機２の応答釦を操作するとＣＰＵ２７が音声回路２４ｃを起動する。また管理室インターホン３では、ＣＰＵが図示しない切替スイッチをオフしてロビーインターホン１に接続された通話線Ｌａを幹線装置４に接続された通話線Ｌａから切り離す。その結果、管理室インターホン３と選択された住戸機２との間に個別通話用経路を介した通信路が確立されて個別通話が可能となる。
【００２７】
最後に、集合住宅の管理室に設置された管理室インターホン３から複数の住戸機２に対して一斉放送を行う場合について説明する。管理人が管理室インターホン３に設けられた一斉放送開始釦（図示せず）を操作すると、管理室インターホン３のＣＰＵが一斉放送の対象となる複数の住戸機２に対して制御線を介して制御信号（一斉放送開始コマンド）を伝送し、この一斉放送開始コマンドに応じて一斉放送の対象となっている全ての住戸機２のＣＰＵ２７が音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離す。その結果、管理室インターホン３と複数の住戸機２との間に一斉放送用経路を介した通信路が確立されて管理室インターホン３から複数の住戸機２への一斉放送が可能となる。
【００２８】
上述のように、個別通話の場合には、幹線Ｌ１は選択された住戸機２の個別通話用経路及び全住戸機２の一斉放送用経路と接続されるが、その合成インピーダンスは個別通話用経路の入力インピーダンスと比べて高く、また個別通話の対象となる機器間ではインピーダンス整合のとれた音声信号伝送を行うので、誘導ノイズ耐性の高い通話を行うことができる。一方、一斉放送の場合には、幹線Ｌ１は全住戸機２の一斉放送用経路と接続されるが、その合成インピーダンスは音声回路３０の出力インピーダンスと比べて十分に高いので、一斉放送の対象となる住戸機２の台数が増加した場合でも音声信号の減衰を抑制することができる。
【００２９】
（実施形態２）
本実施形態は、第一の切替スイッチ２９ａが、信号線Ｌｄを個別通話用経路に接続する状態と、信号線Ｌｄを一斉放送用経路に接続する状態とを択一的に切り替えて成る点に特徴がある。尚、本実施形態の基本構成は実施形態１と共通であるから、共通の構成要素には同一の符号を付して説明を省略する。
【００３０】
本実施形態における第一の切替スイッチ２９ａは、図２に示すように、低周波通過部２０ａと高周波通過部２０ｂとに分岐する点イと低周波通過部２０ａとの間に挿入され、ＣＰＵ２７からの制御に応じて信号線Ｌｄを個別通話用経路又は一斉放送用経路の何れかと接続するよう択一的に切り替える。尚、ＣＰＵ２７による制御を行っていない状態では、信号線Ｌｄは一斉放送用経路及び高周波通過部２０ｂと接続されている。
【００３１】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線を介して制御信号（呼出コマンド）が伝送され、この制御信号に含まれるアドレスが一致した住戸機２では、そのＣＰＵ２７が呼出コマンドに応じて第一の切替スイッチ２９ａを信号線Ｌｄと個別通話用経路とを接続するように切り替えると共に音声回路２４ｃを通じてスピーカ２１ｂから呼出音を送出させる。さらにロビーインターホン１に選択された住戸機２では、ＣＰＵ２７がＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そしてロビーインターホン１からの呼出に応答して居住者が住戸機２の応答釦（図示せず）を操作するとＣＰＵ２７が音声
回路２４ｃを起動する。
【００３２】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。その結果、ロビーインターホン１と選択された住戸機２との間に通信路が確立されて個別通話が可能となると共に、選択された住戸機２でのみロビーインターホン１のカメラで撮像された来訪者をモニタ２２に表示することが可能となる。尚、管理室インターホン３と、管理室インターホン３で選択された１台の住戸機２との間で個別通話する場合については、ロビーインターホン１と住戸機２との個別通話の場合とほとんど共通であるから説明を省略する。
【００３３】
次に、集合住宅の管理室に設置された管理室インターホン３から複数の住戸機２に対して一斉放送を行う場合について説明する。管理人が管理室インターホン３に設けられた一斉放送開始釦（図示せず）を操作すると、管理室インターホン３のＣＰＵが一斉放送の対象となる複数の住戸機２に対して制御線を介して制御信号（一斉放送開始コマンド）を伝送し、この一斉放送開始コマンドに応じて一斉放送の対象となっている全ての住戸機２のＣＰＵ２７が音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離す。その結果、管理室インターホン３と複数の住戸機２との間に一斉放送用経路を介した通信路が確立されて管理室インターホン３から複数の住戸機２への一斉放送が可能となる。
【００３４】
上述のように、個別通話の場合において、選択された住戸機２では一斉放送用経路は幹線Ｌ１と接続されず個別通話用経路だけが接続されるので、住戸機２の入力インピーダンスの低下を抑制し、実施形態１と比べてシステムに接続する住戸機２の台数を増やすことができる。
【００３５】
（実施形態３）
本実施形態は、個別通話及び一斉放送の通信路を開閉する第二の切替スイッチ２９ｂを住戸機２に設けた点に特徴がある。尚、本実施形態の基本構成は実施形態２と共通であるから、共通の構成要素には同一の符号を付して説明を省略する。
【００３６】
第二の切替スイッチ２９ｂは、図３に示すように、住戸機２において信号線Ｌｄと、低周波通過部２０ａと高周波通過部２０ｂとに分岐する点ウとの間に挿入され、ＣＰＵ２７からの制御に応じてロビーインターホン１又は管理室インターホン３と住戸機２との通信路の開閉を切り替えるもので、開閉手段に相当する。尚、ＣＰＵ２７による制御が行われていない状態では、第二の切替スイッチ２９ｂは開放されており、ロビーインターホン１又は管理室インターホン３と住戸機２との通信路は確立されていない。
【００３７】
次に本実施形態の動作を説明する。まず、ロビーインターホン１と、ロビーインターホン１で選択された１台の住戸機２との間で個別通話する場合について説明する。ロビーインターホン１で選択された住戸機２に対して管理室インターホン３から制御線を介して制御信号（呼出コマンド）が伝送され、この制御信号に含まれるアドレスが一致した住戸機２では、そのＣＰＵ２７が呼出コマンドに応じて第二の切替スイッチ２９ｂを閉成し且つ第一の切替スイッチ２９ａを信号線Ｌｄと個別通話用経路とを接続するように切り替えると共に音声回路２４ｃを通じてスピーカ２１ｂから呼出音を送出させる。さらにロビーインターホン１に選択された住戸機２では、ＣＰＵ２７がＦＭ復調部２５ａやモニタ２２を起動し、信号線Ｌｄを介して伝送されるＦＭ映像信号をＦＭ復調部２５ａで周波数復調してロビーインターホン１のカメラにおいて撮像された来訪者の映像をモニタ２２に表示させる。そしてロビーインターホン１からの呼出に応答して居住者が住戸機２の応答釦（図
示せず）を操作するとＣＰＵ２７が音声回路２４ｃを起動する。
【００３８】
一方、管理室インターホン３では、呼出コマンドの送出後、ＣＰＵが図示しない切替スイッチをオンしてロビーインターホン１に接続された通話線Ｌａを幹線装置４に接続された通話線Ｌａに接続する。その結果、ロビーインターホン１と選択された住戸機２との間に通信路が確立されて個別通話が可能となると共に、選択された住戸機２でのみロビーインターホン１のカメラで撮像された来訪者をモニタ２２に表示することが可能となる。尚、管理室インターホン３と、管理室インターホン３で選択された１台の住戸機２との間で個別通話する場合については、ロビーインターホン１と住戸機２との個別通話の場合とほとんど共通であるから説明を省略する。
【００３９】
次に、集合住宅の管理室に設置された管理室インターホン３から複数の住戸機２に対して一斉放送を行う場合について説明する。管理人が管理室インターホン３に設けられた一斉放送開始釦（図示せず）を操作すると、管理室インターホン３のＣＰＵが一斉放送の対象となる複数の住戸機２に対して制御線を介して制御信号（一斉放送開始コマンド）を伝送し、この一斉放送開始コマンドに応じて一斉放送の対象となっている全ての住戸機２のＣＰＵ２７が第二の切替スイッチ２９ｂを閉成すると共に音声回路２４ｃを起動する。さらに、管理室インターホン３のＣＰＵは、図示しない切替スイッチをオフしてロビーインターホン１に接続された通話線Ｌａを幹線装置４に接続された通話線Ｌａから切り離す。その結果、管理室インターホン３と複数の住戸機２との間に一斉放送用経路を介した通信路が確立されて管理室インターホン３から複数の住戸機２への一斉放送が可能となる。
【００４０】
上述のように、個別通話の場合には、幹線Ｌ１は選択された住戸機２の個別通話用経路とのみ接続されるので、通話対象機器間のインピーダンス整合がより精度の高いものとなり、したがって誘導ノイズ耐性がより高い通話を行うことができる。また、第二の切替スイッチ２９ｂを切り替えることで、選択された複数台の住戸機２とのみ通信路を確立して他の住戸機２との通信路を確立しないようにすることで、全住戸機２への一斉放送だけではなく、特定の複数台の住戸機２に対する一斉放送も行うことができる。
【符号の説明】
【００４１】
１  ロビーインターホン（共用部装置）
２  住戸機
３  管理室インターホン（通話装置）
Ｌ１  幹線
Ｌ２  住戸別線
２６ａ  第一の音声伝送回路
２６ｂ  第二の音声伝送回路
２９ａ  第一の切替スイッチ（切替手段）
２９ｂ  第二の切替スイッチ（開閉手段）
【図１】
0005537575.tif 000002
【図２】
0005537575.tif 000003
【図３】
0005537575.tif 000004
【図４】
0005537575.tif 000005